(57)【要約】本発明は、共通に使用可能な伝送チャネル（ＤＬ）を用いる伝送チャネル（ＤＬ）のリソースを管理する局（ＢＳ）からこの局（ＢＳ）にログインした局（ＭＳ）へのデータ伝送をシグナリングする方法に関する。この場合、ログインした局（ＭＳ）に対しデータ伝送前、あとに続いて伝送すべきデータに関する伝送情報を複数の情報を有するメッセージブロック内で伝達する。リソース割り当てのため、各々データ伝送を行う前に完全なメッセージブロックを送信する必要をなくす目的で、メッセージブロックにおいてデータの伝送を表す識別情報（ＤＳＦ）を通知し、ついでデータ伝送の行われることをそのつどシグナリングチャネル（ＤＬＣＣＨ）内で識別情報（ＤＳＦ）の送信によりそのデータ伝送の前に通知する。ついでデータ伝送の行われることをそのつどシグナリングチャネル（ＤＬＣＣＨ）内で識別情報（ＤＳＦ）を送信することによりそのデータ伝送前に通知する。
2004504784.tif 000002
【特許請求の範囲】
【請求項１】
共通に使用可能な伝送チャネル（ＤＬ）を用いる動作モード時に伝送チャネルのリソース（ＵＬ，ＤＬ）を管理する局（ＢＳ）から該局にログインした局（ＭＳ）へのデータ伝送をシグナリングする方法において、
ログインした局（ＭＳ）はデータ伝送前に複数の情報を有するメッセージブロック内で、続いて伝送すべきデータに関する伝送情報を伝達し、
該メッセージブロック内で、ログインした特定の局（ＭＳ）に対し以降のデータ伝送を表す識別情報（ＤＳＦ）を割り当て、
次に（ｔ０，ｔｘ）それぞれシグナリングチャネル（ＤＬＣＣＨ）を介して本来のデータ伝送前に前記識別情報（ＤＳＦ）を送出することにより、データ伝送が行われることを通知することを特徴とする、
データ伝送をシグナリングする方法。
【請求項２】
前記識別情報（ＤＳＦ）を局（ＭＳ）のログインプロセス時またはログインプロセス後に通知する、請求項１記載の方法。
【請求項３】
前記識別情報（ＤＳＦ）を、ログインした局（ＭＳ）が該識別情報（ＤＳＦ）の割り当てに従ってデータ伝送を行う方式への移行を要求したときに割り当てる、請求項１記載の方法。
【請求項４】
識別情報（ＤＳＦ）の送出後に送信されたデータには、ログインした局（ＭＳ）に対する該局のための特別な割り当て情報は含まれない、請求項１から３のいずれか１項記載の方法。
【請求項５】
シグナリングチャネル（ＤＬＣＣＨ）として、伝送チャネル（ＤＬ）とは物理的に分離されたチャネルを使用する、請求項１から４のいずれか１項記載の方法。
【請求項６】
シグナリングチャネル（ＤＬＣＣＨ）として、専用の物理的または論理的なコントロールチャネルを使用する、請求項１から５のいずれか１記載の方法。
【請求項７】
前記識別情報（ＤＳＦ）により、分割された伝送チャネル（ＳＣＨ１〜ＳＣＨ３）における１つまたは複数の物理的なリソースを指示する、請求項１から６のいずれか１項記載の方法。
【請求項８】
前記識別情報（ＤＳＦ）の割り当てを所定の期間たとえば数秒から数分に対して行い、たとえば複数の伝送期間に分割する、請求項１から７のいずれか１項記載の方法。
【請求項９】
ログインした局（ＭＳ）は伝送チャネルを共通に使用する動作モードに入った後、該動作モードにあるかぎりシグナリングチャネル（ＤＬＣＣＨ）の情報を継続的に収集する、請求項１から８のいずれか１項記載の方法。
【請求項１０】
少なくとも、伝送チャネル（ＤＬ）を共通に使用する動作モードのために利用するすべてのダウンリンクリソース（ＳＣＨ１〜ＳＣＨ３）に通し番号を付ける、請求項１から９のいずれか１項記載の方法。
【請求項１１】
伝送チャネルを共通に使用する動作モードにあるログインした局（ＭＳ）に対し、規格に従って通し番号を知らせる、請求項１０記載の方法。
【請求項１２】
たとえば請求項１から１１のいずれか１項記載の方法を実施するための無線通信システムの基地局（ＢＳ）において、
伝送チャネルのリソース（ＵＬ，ＤＬ）を管理するための第１の局（ＢＳ）内の管理装置と、
共通に使用可能な伝送チャネル（ＤＬ）を用いる動作モード時に少なくとも第２の局（ＭＳ）に対しデータ伝送の行われることをシグナリングするためのシグナリング装置（Ｙ）が設けられており、前記第２の局（ＭＳ）に対しデータ伝送前、あとに続く伝送すべきデータに関する伝送情報が複数の情報をもつメッセージブロック内で伝達され、
前記シグナリング装置（Ｙ）は、データの伝送を表す識別情報（ＤＳＦ）を前記メッセージブロックの伝送前に該ブロック内にエントリし、
送信装置が設けられており、該送信装置は識別情報（ＤＳＦ）とともにシグナリングチャネル（ＤＬＣＣＨ）を送信して、あとに続いてデータ伝送の行われることを該データ伝送前にシグナリングすることを特徴とする、
無線通信システムの基地局。
【請求項１３】
請求項１２記載の基地局とデータ伝送するための、および／または請求項１から１１のいずれか１項記載の方法を実施するための無線局（ＭＳ）において、
少なくとも前記識別情報（ＤＳＦ）を記憶して管理し識別するための装置（Ｘ）が設けられていることを特徴とする無線局。
【発明の詳細な説明】
【０００１】
本発明は、ダウンリンクのデータ伝送においてコネクション固有の論理チャネルに対し無線リソースを高速に割り当てる方法ならびに該方法を実施するための基地局および無線局に関する。
【０００２】
無線通信システムの場合、情報たとえば音声、画像情報あるいは他のデータが電磁波により無線インタフェースを介して送信局と受信局（基地局もしくは加入者局）との間で伝送される。この場合、個々のシステムのために設定された周波数帯域にある搬送波周波数で電磁波の放射が行われる。たとえばＵＭＴＳ（Ｕｎｉｖｅｒｓａｌ Ｍｏｂｉｌｅ Ｔｅｌｅｃｏｍｍｕｎｉｃａｔｉｏｎ Ｓｙｓｔｅｍ）またはその他の第３世代のシステムなどの無線インタフェースを介したＣＤＭＡあるいはＴＤ／ＣＤＭＡ伝送方式による将来の移動無線システムの場合、約２０００ＭＨｚの周波数帯域にある周波数がまえもって定められている。
【０００３】
ＴＤＤ伝送モードおよびＦＤＤ伝送モード（Ｔ／ＦＤＤ：Ｔｉｍｅ／Ｆｒｅｑｕｅｎｃｙ Ｄｉｖｉｓｉｏｎ Ｄｕｐｌｅｘ）を用いる今日一般的なＧＳＭ規格（ＧＳＭ：Ｇｌｏｂａｌ Ｓｙｓｔｅｍ ｆｏｒ Ｍｏｂｉｌｅ Ｃｏｍｍｕｎｉｃａｔｉｏｎ）においてもＵＭＴＳ規格またはＵＴＲＡＮ規格（ＵＴＲＡＮ：Ｕｎｉｖｅｒｓａｌ Ｔｅｒｒｅｓｔｒｉａｌ Ｒａｄｉｏ Ａｃｃｅｓｓ Ｎｅｔｗｏｒｋ）においても今後は、殊に音声伝送のためにいわゆるリアルタイムデータがパケット指向形コネクションによって伝送されるようになる。ここでリアルタイムデータとは、伝播遅延時間や切断損失等によってもできるかぎり僅かにしか損なわれないデータのことである。このことからこの種のリアルタイムデータサービスは、エアインタフェースを介した伝送にあたり一般に非リアルタイムデータサービスよりも優先されなければならない。非リアルタイムデータの伝送のために、たとえばリアルタイムデータサービスの伝送ギャップを利用できる。このためにはたとえば、非リアルタイムデータをうまく編成しリソースを無駄にせず伝送できるようにしなければならない。
【０００４】
非リアルタイムデータ（ｎｏｎ−ｒｅａｌｔｉｍｅ ｄａｔａ）はたとえば、ＷｏｒｌｄＷｉｄｅＷｅｂ アプリケーションやファイル転送プロトコル（ＦＴＰ）およびＥメールによる典型的なインターネットトラフィックである。非リアルタイムデータの伝送はたとえば移動無線システムの無線インタフェースを介して、それに含まれるシグナリングや伝送すべきユーザデータの特性ゆえに小さいものから大きいものまで多数のデータパケットにより構成されている。個々のデータパケットの伝送においてそれらの一部には比較的長い休止も存在している可能性があり、それらの休止の伝送は一般に時間的にそれほどクリティカルではない。たいていこれらのシステムでは数１００ｍｓまたはそれ以上の遅延を受け入れることができる。このようなコネクションのために専用に設けられた１つまたは複数のチャネル（Ｄｅｄｉｃａｔｅｄ Ｃｈａｎｎｅｌ）を割り当てること、つまりログイン期間にわたり固定的に配分されるチャネルを割り当てることは現在、リソース資源のかなり甚大な浪費を意味する。なぜならば個々のトランザクション間の伝送休止の期間については予測不可能だからであり、しかもかなり長くなる可能性があるからである。
【０００５】
ＴＤＤモードで現在計画されている方式は、このようなデータ伝送のために共通に使用されるチャネルいわゆるシェアドチャネル Ｓｈａｒｅｄ Ｃｈａｎｎｅｌ を利用しており、これは最初からデータパケットごとに時間的に制限されて割り当てられる。換言すれば、共通に使用される個々のチャネルの容量がそれぞれ時間的に制限されて、ログインした複数の加入者局に分割される。しかしこの割り当て期間中、共通に使用されるチャネルのリソースは排他的に割り当てられ、それらが専用に設けられたチャネルと異なる点は、割り当て期間がまえもって決められていることだけである。
【０００６】
共通に使用されるチャネルのこのような割り当てのためにも専用に設けられたチャネルの割り当てのためにも非常に大きいメッセージもしくはメッセージブロックが必要とされ、これらはそのサイズゆえに甚大な過負荷（オーバヘッド）を成し、これは１つのチャネルに割り当てられたパケットが非常に小さいときに殊に甚大となる。これらの割り当てに起因する過負荷はＴＤＤモードにおいて今日、５０％にも及ぶ可能性がある。
【０００７】
本発明の課題は、ダウンリンクにおける伝送のためのシステム負荷を低減する方法を提供することにある。
【０００８】
この課題は請求項１記載の特徴を備えた方法、上記の方法を実施するための請求項１２記載の特徴を備えた基地局もしくは請求項１３記載の特徴を備えた無線局によって解決される。
【０００９】
この場合、あとに続いてデータの伝送が行われることを表す識別情報が通常のメッセージブロック内で通知され、ついでデータ伝送の行われることがそのつどシグナリングチャネルにおいて識別情報の送信によりそのデータ伝送前に通知されることによって、ログインした加入者局に対しそれに続いて伝送チャネルを介して到来するデータに関して、リソースを節約するかたちでその加入者局のための情報が得られるようになる。その際、最初のステップにおいて、ログインした特定の（加入者）局に対して一義的な識別情報が割り当てられる。このようにすれば以降のデータ伝送の前に、もはや煩雑なヘッダセクションとともに伝送すべきデータを通知する必要がなくなり、シグナリングチャネルを介し識別情報を用いることで事前にシグナリングすれば十分になる。
【００１０】
有利には、共通に用いられるこのようなリソースをログインした複数の局が実際に分け合い、しかもこれはそれらのリソースを（比較的長期にわたり）期限を付けられただけで排他的に利用する代わりに行うことで、ダウンリンクにおける伝送に対するシステム負荷の低減が達成される。比較的長い期間にわたりチャネルを固定的に割り当てる代わりにこのようにすることで、短期間だけ短いブロックがチャネル内で割り当てられる。
【００１１】
しかも伝送すべきデータ容量と伝送時点が事前に既知であったり推定したりする必要がもはやない。このことによってもシステムリソースを節約することができる。
【００１２】
従属請求項には本発明の有利な実施形態が示されている。
【００１３】
加入者局のログイン時またはログイン後に識別情報を通知することによって、プロセスの流れ全体が合理化される。これに対しログインした局の伝送要求のときにはじめて識別情報を割り当てることにより、殊に以下の事例において最適化が可能となる。すなわちその事例とは、ログインした特定の局がたとえば実質的に音声伝送のためにしか用いられず、既述の方法の投入が必要とされたり有用であるようなサービスのためにはまれにしか用いられないような状況である。このような事例ではログインした局によって、そのために適したサービスが要求されるときにこの特別な伝送モードに対する要求を出すことができる。これとは逆に、たとえば別の局がログインした局へデータを伝送したいとき、およびそれらのデータを既述の方式を用いればいっそうリソースを無駄にせずに伝送可能なときには、通信ネットワークからも要求を到来させることもできる。
【００１４】
識別情報の送信後に送出されるデータには、ログインした局に対するその局のための専用の割り当て情報が含まれないことから、煩雑なシグナリングや手間のかかるヘッダセクションを省略することができる。
【００１５】
シグナリングチャネルとして伝送チャネルとは物理的に分離したチャネルを使用することによって、簡単に構成されたチャネルの実装が可能となるし、あるいはすでに実装済みのシグナリングチャネルまたは他のシグナリングチャネルの空き容量を利用できるようにもなる。殊に、リソース割り当てのためそれ自体公知のメッセージブロックをそのつど送信することに比べ、専用のシグナリングチャネルの実装や稼働のためには僅かなリソースしか必要とされない。必要とされるシグナリングチャネルにより生じる余分な手間は、ＴＤＤの場合に想定されるように非リアルタイムデータ伝送の割合がそれ相応に多いときにはいっそう僅かになる。
【００１６】
分割された伝送チャネルの１つまたは複数の物理的なリソースを識別情報が指示するようにしたことで、ログインした局に対しそれぞれ異なるチャネルにおける時間的にパラレルなリソースを介してデータを伝送できるようになり、これによって伝送帯域幅および伝送速度が単一のチャネルを介した伝送よりも相応に高められる。
【００１７】
所定の期間たとえば数秒から数分に対して識別情報を割り当ることによって、また、複数の伝送周期への分割を行うことによっても、ログインした複数の移動局に対する均等な配分が実現され、このことで日中の混雑する時間帯においてたとえば夜間の時間帯よりもいっそう多くのログイン済みの局にデータを供給することを考慮できるようになる。
【００１８】
少なくとも、伝送チャネルを共通に使用する動作モードのために利用されるすべてのダウンリンクコネクションリソースに通し番号を付けることで、システム規格に相応に採用する場合には殊に、シグナリングチャネルに関する識別情報の合理的な割り当てを実現することができる。
【００１９】
たとえば空きの伝送チャネルおよび伝送リソースを、データ品質（ＱｏＳ）に対し様々な要求をもつログインした加入者局へ迅速に割り当てることができ、この割り当てを迅速に行ったり交換したりすることができる。さらにたとえばリアルタイムデータとの混合も簡単に実現可能である。
【００２０】
有利には、ダウンリンクにおいて時おりデータ伝送が行われるような想定可能なすべての通信システムにおいて使用することができる。
【００２１】
次に、図面を参照しながら実施例について詳しく説明する。
【００２２】
図１は、基地局と通信する２つの移動局を備えた無線通信システムの一例を示す図である。
【００２３】
図２は、シグナリング情報およびデータの伝送の流れを示す図である。
【００２４】
図３は、１つの論理チャネルにおける個々の物理チャネルのリソースを種々の時点で種々の加入者局に割り当てる様子を示す図である。
【００２５】
図１に示されている公知の無線通信システムの一例としての移動無線システムは多数のネットワークエレメントから成り、これはたとえば移動交換局ＭＳＣ、無線技術的リソースを割り当てるための装置ＲＮＭ、基地局ＢＳ、さらに最下位階層レベルにある加入者局ＭＳによって構成されている。
【００２６】
この場合、複数の移動交換局ＭＳＣが互いにネットワークで接続されていて、それらのうちここでは１つしか示されていないが、これらは固定ネットワークまたは他の無線ネットワークへのアクセスを確立する。さらにこれらの移動交換局ＭＳＣはそれぞれ、無線技術的リソースを割り当てるための装置ＲＮＭのうちの少なくとも１つと接続されている。これらの装置ＲＮＭの各々によって、基地局ＢＳ，ＢＳ２の少なくとも１つに対するコネクションが可能となる。この種の基地局ＢＳは無線インタフェースＶもしくはＶ２を介して加入者局とのコネクションを確立することができ、たとえば移動局ＭＳ、ＭＳ１もしくはＭＳ２あるいはそのほかの移動端末機器および定置端末機器とのコネクションを確立することができる。各基地局ＢＳ，ＢＳ２により少なくとも１つの無線セルＺが形成される。セクタ化されている場合あるいは階層型セル構造であれば、基地局ＢＳ，ＢＳ２ごとに複数の無線セルＺに対するサービスも行われる。
【００２７】
図１には一例として存在するコネクションＶ，Ｖ２が、移動加入者局ＭＳ，ＭＳ１もしくはＭＳ２とこれとコネクションを確立している対応する基地局ＢＳもしくはＢＳ２との間でユーザ情報およびシグナリング情報を伝送するためのダウンリンクコネクションＤＬおよびアップリンクコネクションＵＬとして表されている。さらにそれぞれオーガニゼーションチャネル（ＦＡＣＨまたはＢＣＣＨ：Ｂｒｏａｄｃａｓｔ Ｃｏｎｔｒｏｌ ＣＨａｎｎｅｌ）が示されており、これは基地局ＢＳもしくはＢＳ２の各々からすべての移動局ＭＳもしくはＭＳ２に対して規定された送信電力でユーザ情報とシグナリング情報を伝送するために、対応する無線セルＺの領域で用意される。
【００２８】
図１に示されているように、ここに描かれている実施例によれば少なくとも１つのダウンリンクコネクションコントロールチャネルＤＬＣＣＨ（ＤｏｗｎＬｉｎｋ Ｃｏｎｔｒｏｌ ＣＨａｎｎｅｌ）と、方式に従いそれを介して伝送すべき識別情報とが導入される。以下ではこれらをショート識別子ＤＳＦ（Ｄｏｗｎｌｉｎｋ Ｓｔａｔｅ Ｆｌａｇ）と称する。
【００２９】
公知のように、セルＺ内で稼働される加入者局ＭＳは管轄の基地局ＢＳにログインする。その際に加入者局は非アクティブ状態からスタンバイ状態に移行し、その状態において加入者局はその国際加入者識別番号によって他の通信装置から呼び出すことができる。
【００３０】
この実施例によれば、共通にチャネルを使用する動作モード（Ｓｈａｒｅｄ Ｃｈａｎｎｅｌ Ｍｏｄｅ）において加入者局ＭＳがダウンリンクコネクション動作に移行したいときにただちに、加入者局ＭＳにショート識別子ＤＳＦが割り当てられる。この移行要求はたとえば、加入者局ＭＳが高いサービス品質（ＱｏＳ）をもつサービスを必要としそれを要求するときにシグナリングされる可能性がある。
【００３１】
しかし択一的に、ショート識別子ＤＳＦを管理する能力をもつ加入者局ＭＳが基地局に登録を行うとただちに、ショート識別子ＤＳＦの割り当てを可能とするのも一般的である。さらにショート識別子ＤＳＦの割り当てをたとえば、ログインされた加入者局ＭＳに対する未知の加入者局の要求に応じて高いサービス品質をもつコネクションを構築すべきときに、基地局ＢＳのイニシアティブで行うことも可能である。
【００３２】
チャネルを共通に使用する動作モードへのこのような移行は、シグナリングのためにそれ自体知られているように、たとえば比較的サイズの大きいメッセージによってシグナリングされる。この場合、加入者局ＭＳに対し少なくとも１つのショート識別子ＤＳＦが割り当てられ、あるいは一般的にはそれぞれ１つのショート識別子ＤＳＦが割り当てられる。この割り当ては有利には数秒から数分に及ぶ比較的長い効力をもっている。現在のシステムの場合、３００ｍｓよりも短くはない期間の効力であると格別有利である。
【００３３】
移動加入者局ＭＳがチャネルを共通に使用する動作モードに切り替わった後、その加入者局はそれがこの動作モードにあるかぎり、ダウンリンクコントロールチャネルＤＬＣＣＨを継続的にリスニングして情報を収集する。加入者局ＭＳはたとえば移行を導入もしくはトリガしたメッセージにおいてそのチャネルの位置に関する情報を得る。
【００３４】
有利には、無線セルＺのすべてのダウンリンクリソースあるいは少なくとも、チャネルを共通に使用する動作モードのために利用されるすべてのダウンリンクリソースに通し番号が付けられる。この通し番号は、チャネルを共通に使用する動作モードにおかれている移動加入者局ＭＳに通知される。
【００３５】
さらに、共通に使用されるチャネルへの伝送は有利には複数の伝送期間に分割される。これらの伝送期間をたとえば、ダウンリンクコントロールチャネルＤＬＣＣＨにおいて相前後する送信の間隔から得ることができ、その際、伝送期間がその間隔と等しくなるようにするかまたはその間隔の倍数となるようにする。このような伝送期間のための典型的な長さは現在、ＴＤＤシステムでは１０ｍｓ，２０ｍｓ，４０ｍｓ，８０ｍｓあるいは１６０ｍｓである。
【００３６】
ダウンリンクコネクションコントロールチャネルＤＬＣＣＨにおいて継続的に、共通に使用されるチャネルのリソース番号とショート識別子ＤＳＦとの間の割り当てが送出され、これは後続の伝送周期に対し効力がある。図３にからわかるようにこの割り当ての意味するところは、共通に使用されるチャネルのリソース番号ｔｉ に割り当てられたショート識別子ＤＳＦを有する移動加入者局ＭＳｉに対し次の伝送期間中、番号ｔｘ をもつリソースにおいてデータが送信される、ということである。この場合、いわゆる論理チャネルは殊に、コントロールチャネルＤＬＣＣＨとさらにここでは３つの共通に使用される物理的なデータチャネルＳＣＨ１，ＳＣＨ２，ＳＣＨ３を有している。これらのデータチャネルは複数のタイムスロットｔｉ に分割されており、図示されている実施例の場合、それぞれ４つのタイムスロットｔｘ が１つのメッセージもしくは１つのメッセージブロックを成していて、これをその最初のタイムスロット番号ｔｉ と同じリソース番号ｔｉ をもつリソースとして加入者局ＭＳｉ へ割り当てることができる。タイムスロットｔｉ ごとにたとえばＴＤＤシステムであればそれぞれ１つのバーストが送り出される。
【００３７】
加入者局ＭＳｉに対するショート識別子ＤＳＦの割り当てによって、その加入者局ＭＳｉに対し以下の情報を伝達することもできる。すなわち加入者局ＭＳｉはそれに割り当てられたショート識別子ＤＳＦの受信後に、データチャネルＳＣＨｉのうち完全に特定された１つの決まったデータチャネルにおいて伝送されるデータを常にアクセスすべきことを伝達することもできる。
【００３８】
しかしながら有利には、共通に用いられるチャネルＳＣＨｉのためにリソースｔｉ として提供されるすべてのリソースを、チャネルを共通に使用する動作モードにある任意の定置加入者局または移動加入者局ＭＳへ任意のやり方で与えることができる。このようにして生じた大きな束によってスループット全体が高まり、このことで「束化利得」が生じることになる。ひいてはこれにより１つのセルＺの無線リソースがいっそう効率的に利用されるようになる。なぜならば共通に使用される１つのチャネルの各リソースを非リアルタイムコネクションのリソースに割り当てることができるからであり、それによってたとえばＧＳＭ規格のために定義されている汎用パケットデータ無線サービスＧＰＲＳにおいて行われるような個々の「 Ｐｏｏｌｓ ｐｒｏ Ｓｈａｒｅｄ Ｃｈａｎｎｅｌ Ｒｅｓｓｏｕｒｃｅ シェアドチャネルリソースごとのプール」を形成しなくてよくなるからである。
【００３９】
これに加えて有利には、共通に使用されるチャネルＳＣＨｉのリソースを適切に使用できるならば個々の加入者局ＭＳに対し１つの伝送周期中、共通に使用される１つのチャネルの複数のリソースを同時に割り当てることもでき、そのようにして伝送帯域幅ならびに伝送速度を相応に高めることができる。
【００４０】
さらに有利には、伝送すべきデータ容量や伝送時点をまえもって明らかにしておく必要または推定する必要がなくなる。なぜならば上述のメカニズムによって、目下伝送すべきデータ容量および個々のデータパケットの優先順位や待ち行列期間などのようなその他の判定基準の有用性に従い、必要に応じておよび呼び出しに応じて制御されるかたちでリソースを実際に与えることができるからである（「オン・デマンド ”ｏｎ ｄｅｍａｎｄ”」）。
【００４１】
包括的な割り当てメッセージをもはやパケットごとに伝送する必要がなくパケット伝送セッション（パケットセッション Ｐａｋｅｔｓｅｓｓｉｏｎ）ごとに１回伝送すればよいことから、まえに言及したグナリング過負荷を低減することができる。パケット伝送セッションは任意の長さをもっている可能性があり、それには長い休止が含まれている可能性がある。これに比べて、必要とされるダウンリンクコネクションコントロールチャネルＤＬＣＣＨによる付加的な煩雑さは、ＴＤＤについて予期されるように非リアルタイムデータの伝送の割合が相応に多いときには著しく僅かになる。
【００４２】
ショート識別子ＤＳＦを割り当てたからといって、それはまだ具体的なリソースの割り当てを意味しているのではなく、僅かなシグナリングの手間で高速にリソースを割り当てることができるということを意味しているのにすぎないことから、利用可能なシェアドチャネルリソース Ｓｈａｒｅｄ Ｃｈａｎｎｅｌ Ｒｅｓｓｏｕｒｃｅ の何倍もの個数のショート識別子ＤＳＦを割り当てることができる（過剰割り当て）。イントラネットやインターネットのトラフィックにおいて一般的であるようなパケット形式の非リアルタイムデータにとって、このようにできることは有利である。それというのも、そのようなトラフィックでは休止時間は一般にパケットコネクションごとの伝送時間の何倍もの時間だからであり、たとえばすべての加入者局ＭＳに対し同時にデータ伝送が行われるという想定可能な状況は待ち行列へのそれ相応に長い組み入れによって取り除くことができるからである。
【００４３】
リソースの通し番号が共通に使用されるチャネルのリソースだけでなく無線セルＺのすべてのリソースを含んでいるときには、リアルタイムデータと混ぜ合わせることも考えられる。その場合、ダウンリンクコネクション方向においてアクセスネットワークたとえばベーストランシーバステーション（ＢＴＳ）によってごく簡単に検出可能な音声休止中、音声データの存在しないところで非リアルタイムデータを別の加入者局ＭＳへ伝送することができ、この加入者局ＭＳに対しこのリソースがダウンリンクコネクションコントロールチャネルＤＬＣＣＨを介して１つの伝送期間にわたり通知される。リアルタイムデータコネクションにとって有利であるのは、それらのデータの誤った検出を防止する目的で付加的な装置またはプロセスシーケンスを装備することである。
【００４４】
次に、図１および図２を参照しながら１つの例としての方法の流れについて説明する。基地局ＢＳの領域には、この基地局にログインした第１の移動加入者局ＭＳ１が存在している。これら両方の局の間において音声コネクションつまりリアルタイムデータ伝送が行われる。休止中、基地局ＢＳは伝送チャネルを有利には他の局との通信のためにも利用することができる。
【００４５】
このような休止中に、あるいは他の伝送チャネルによって、ダイレクトアクセスチャネルＲＡＣＨ（Ｒａｎｄｏｍ Ａｃｃｅｓｓ ＣＨａｎｎｅｌ）を介してこの基地局ＢＳに登録された第２の移動加入者局ＭＳとの通信コネクションが確立される。基地局ＢＳはこの第２の加入者局ＭＳに対し、その加入者局もしくはその加入者局のシグナリング監視装置ＹはシグナリングチャネルＤＬＣＣＨにおけるシグナリングＤＳＦ０を注意せよということを通知する。
【００４６】
基地局ＢＳと第１の加入者局ＭＳ１との間のコネクションのその後の伝送休止中、基地局ＢＳもしくはそのシグナリングおよび送信装置Ｙは、適切に装備されたすべての加入者局ＭＳによって受信可能なシグナリングチャネルＤＬＣＣＨを介して、ショート識別子ないしはシグナリング情報ＤＳＦ０を送信する。まえもって決められたタイムインターバルで基地局ＢＳはその間に受け取ってバッファリングしておいた第１の加入者局ＭＳのためのデータを、データ伝送チャネルＤＬを介して送信する。このデータは加入者局ＭＳ１によって受信されて処理される。なぜならばこの加入者局は、それに割り当てられたシグナリング情報ＤＳＦ０を事前に受け取っていたからである。
【００４７】
ここに示されている実施例では、その間に第３の加入者局ＭＳ２が基地局ＢＳにログインし、この第３の加入者局ＭＳ２にはシグナリング情報ＤＳＦ２が割り当てられる。しかし第３の加入者局ＭＳ２に対するデータ伝送は基地局ＢＳの側では、ここに示されている期間中は必要とされない。しかしながら第２の加入者局ＭＳに対してはその後の時点でもう一度データが伝達される。
【００４８】
択一的な実施形態によれば、ショート識別子ＤＳＦの送信とデータの伝達との間にそこに挙げられているリソースにおいてまえもって定めることのできる期間を経過させることができる。これにより受信した局において、到来したデータ受信に対し相応の準備処理を施すことができる。
【００４９】
図３には、複数のチャネル全体によって形成される１つの論理チャネルにおける個々の物理的なチャネルＳＣＨ１〜ＳＣＨ３のリソースを、種々の時点ｔｉ で種々の加入者局に割り当てる様子が示されている。一番上の行にはシグナリングチャネルＤＬＣＣＨが描かれており、このチャネルを介して、この方法に対応しているログインしたすべての加入者局ＭＳ１，ＭＳ２にとって受信と復号の可能なフォーマットおよび／またはコードで識別情報が伝送される。
【００５０】
それらのうちここでは３つのいわゆる物理チャネルＳＣＨ１〜ＳＣＨ３が描かれており、これらのチャネルを介して、加入者局ＭＳ１，ＭＳ２のうち特定の加入者局によって受信されるべきデータが伝送される。
【００５１】
シグナリングチャネルＤＬＣＣＨも物理チャネルＳＣＨ１〜ＳＣＨ３もこの図面では複数のセクションに分割されており、これらのセクションはそれぞれたとえば２０ｍｓの長さをもち、典型的なメッセージブロックもしくは物理チャネルＳＣＨ１〜ＳＣＨ３ににおいて割り当て可能なリソースの長さに対する単位とみなすことができる。これらのリソースは当然ながらこのような一定の構造に限定されるものではなく、たとえば複数のタイムスロットｔｉ を有することができる。
【００５２】
図示されているタイムシーケンスの場合、シグナリングチャネルＤＬＣＣＨから図示の第１の時点ｔ０ において第１の加入者局ＭＳ１に対しシグナリング情報もしくは識別情報ＤＳＦ（ＭＳ１、１）によって、第１の物理チャネルＳＣＨ１における次のリソースのデータはこの加入者局ＭＳ１のためのものであることが通知される。
【００５３】
このことは時点ｔ＝ｔ０ に関して、チャネルを描いた図の下の第１の表においても示されている。１列目には、識別情報ＤＳＦのために利用可能なコードここではＭＳ１，ＭＳ２，ＭＳ３，．．．が入っている。。２列目には、特定の物理チャネルＳＣＨｉに対する割り当て情報が入っている。したがって単一の物理チャネルしか設けられていない簡単な実施形態の場合、シグナリングチャネルＤＬＣＣＨを介して簡単な識別情報ＤＳＦもしくはＭＳ１，ＭＳ２，．．．だけしか伝送できない。しかしながら図示されている実施形態の場合にはこれに加えて、シグナリングチャネルＤＬＣＣＨを介して特定の加入者局ＭＳ１のために通知されるデータがどの物理チャネルを介して伝送されるのかという情報も伝送される。このことは、シグナリングチャネルを介して第１の加入者局ＭＳ１に通知される第２の図示の通知に示されており、そのために第２の物理チャネルＳＣＨ２における次のリソースでデータが伝送されることが伝えられる。これに基づき第１の加入者局ＭＳ１に対し、ここでは再び第１のチャネルＳＣＨ１における伝送であることが通知される。
【００５４】
その後、２つのタイムブロックもしくはリソースが続き、それらにおいては基地局ＢＳからログインしている加入者局ＭＳ１，．．．へこの方式によってはいかなるデータも伝送されない。
【００５５】
休止に続きその後の時点ｔ＝ｔｘ においてシグナリングチャネルＤＬＣＣＨを介して、次のタイムブロックにおいて第３の物理チャネルＳＣＨ３を介して第１の加入者局ＭＳ１へデータを伝送すべきこと、第１および第２の物理チャネルを介して第２の加入者局ＭＳ２へデータを伝送すべきことが通知される。
【００５６】
このことはこのその後の時点ｔ＝ｔｘ について、図３の２番目の表にもリストアップされている。この表からも殊にわかるように、ここでは３つの物理チャネルしか利用可能でないにもかかわらずこの時点において、３つまたはそれよりも多くの加入者局ＭＳ１〜ＭＳ３，．．．がこの方式に従いデータを受信するため基地局ＢＳに登録されていることがわかる。
【００５７】
したがって有利には、利用可能なリソースもしくは物理チャネルよりも多くの加入者局ＭＳｉを管理することができる。しかも１つの加入者局ＭＳ２に対し同時に、２つ以上のチャネルＳＣＨ１，ＳＣＨ２を介してデータを伝達することもできる。
【００５８】
これまで説明してきた方法を実施するための加入者局はそれ相応に、少なくとも識別情報ＤＳＦを記憶して管理し識別する装置Ｘを有しており、理想的な事例では既存のメモリ領域と既存のプロセッサを利用して、ソフトウェアソリューションに置き換えることができる。
【図面の簡単な説明】
【図１】
基地局と通信する２つの移動局を備えた無線通信システムの一例を示す図である。
【図２】
シグナリング情報およびデータの伝送の流れを示す図である。
【図３】
１つの論理チャネルにおける個々の物理チャネルのリソースを種々の時点で種々の加入者局に割り当てる様子を示す図である。
【図２】
2004504784.tif 000003
【図３】
2004504784.tif 000004
【国際公開パンフレット】
2004504784.tif 000005
2004504784.tif 000006
2004504784.tif 000007
2004504784.tif 000008
2004504784.tif 000009
2004504784.tif 000010
2004504784.tif 000011
2004504784.tif 000012
2004504784.tif 000013
2004504784.tif 000014
2004504784.tif 000015
2004504784.tif 000016
2004504784.tif 000017
2004504784.tif 000018
2004504784.tif 000019
2004504784.tif 000020
2004504784.tif 000021
2004504784.tif 000022
2004504784.tif 000023
2004504784.tif 000024
2004504784.tif 000025
2004504784.tif 000026
2004504784.tif 000027
【手続補正書】
【提出日】平成14年8月9日(2002.8.9)
【手続補正１】
【補正対象書類名】明細書
【補正対象項目名】特許請求の範囲
【補正方法】変更
【補正の内容】
【特許請求の範囲】
【請求項１】
共通に使用可能な伝送チャネル（ＳＣＨ１，ＳＣＨ２，ＳＣＨ３）を用いる動作モード時に伝送チャネル（ＵＬ，ＤＬ）のリソースを管理する局（ＢＳ）から該局にログインした加入者局（ＭＳ）へのデータ伝送をシグナリングする方法において、
ログインした加入者局（ＭＳ）はデータ伝送前に複数の情報を有するメッセージブロック内で、続いて伝送すべきデータに関する伝送情報を伝達し、
該メッセージブロック内で、ログインした特定の加入者局（ＭＳ）に対し以降のデータ伝送を表す識別情報（ＤＳＦ）を割り当て、
次に（ｔ０，ｔｘ）、前記伝送チャネル（ＳＣＨ１，ＳＣＨ２，ＳＣＨ３）とは物理的に分離されたシグナリングチャネル（ＤＬＣＣＨ）をそれぞれ介して本来のデータ伝送前に前記識別情報（ＤＳＦ）を送出することにより、データ伝送が行われることを通知することを特徴とする、
データ伝送をシグナリングする方法。
【請求項２】
前記識別情報（ＤＳＦ）を加入者局（ＭＳ）のログインプロセス時またはログインプロセス後に通知する、請求項１記載の方法。
【請求項３】
前記識別情報（ＤＳＦ）を、ログインした加入者局（ＭＳ）が該識別情報（ＤＳＦ）の割り当てに従ってデータ伝送を行う方式への移行を要求したときに割り当てる、請求項１記載の方法。
【請求項４】
送信されるデータはログインした加入者局（ＭＳ）に対する該加入者局のための割り当て情報を、前記識別情報（ＤＳＦ）の送出によってのみ取得する、請求項１から３のいずれか１項記載の方法。
【請求項５】
前記識別情報（ＤＳＦ）により、共通に使用可能な伝送チャネル（ＳＣＨ１，ＳＣＨ２，ＳＣＨ３）における１つまたは複数の物理的なリソースを指示する、請求項１から４のいずれか１項記載の方法。
【請求項６】
前記識別情報（ＤＳＦ）の割り当てを所定の期間に対して行い、たとえば複数の伝送期間に分割する、請求項１から５のいずれか１項記載の方法。
【請求項７】
ログインした加入者局（ＭＳ）は伝送チャネルを共通に使用する動作モードに入った後、該動作モードにあるかぎりシグナリングチャネル（ＤＬＣＣＨ）の情報を継続的に収集する、請求項１から６のいずれか１項記載の方法。
【請求項８】
少なくとも、伝送チャネル（ＳＣＨ１，ＳＣＨ２，ＳＣＨ３）を共通に使用する動作モードのために利用するすべてのダウンリンクリソースに通し番号を付ける、請求項１から７のいずれか１項記載の方法。
【請求項９】
伝送チャネル（ＳＣＨ１，ＳＣＨ２，ＳＣＨ３）を共通に使用する動作モードにあるログインした加入者局（ＭＳ）に対し、既知となるよう通し番号を与える、請求項８記載の方法。
【請求項１０】
たとえば請求項１から９のいずれか１項記載の方法を実施するための無線通信システムの基地局（ＢＳ）において、
伝送チャネル（ＵＬ，ＤＬ）のリソースを管理する管理装置と、
共通に使用可能な伝送チャネル（ＳＣＨ１，ＳＣＨ２，ＳＣＨ３）を用いる動作モード時に少なくとも１つの別の局（ＭＳ）に対しデータ伝送の行われることをシグナリングするためのシグナリング装置（Ｙ）が設けられており、前記別の局（ＭＳ）に対しデータ伝送前、あとに続く伝送すべきデータに関する伝送情報が複数の情報をもつメッセージブロック内で伝達され、
前記シグナリング装置（Ｙ）は、データの伝送を表す識別情報（ＤＳＦ）を前記メッセージブロックの伝送前に該ブロック内にエントリし、
送信装置が設けられており、該送信装置は前記伝送チャネル（ＤＬ）とは物理的に分離されたシグナリングチャネル（ＤＬＣＣＨ）を識別情報（ＤＳＦ）とともに送信して、あとに続いてデータ伝送の行われることを該データ伝送前にシグナリングすることを特徴とする、
無線通信システムの基地局。
【手続補正２】
【補正対象書類名】明細書
【補正対象項目名】０００６
【補正方法】変更
【補正の内容】
【０００６】
共通に使用されるチャネルのこのような割り当てのためにも専用に設けられたチャネルの割り当てのためにも非常に大きいメッセージもしくはメッセージブロックが必要とされ、これらはそのサイズゆえに甚大な過負荷（オーバヘッド）を成し、これは１つのチャネルに割り当てられたパケットが非常に小さいときに殊に甚大となる。これらの割り当てに起因する過負荷はＴＤＤモードにおいて今日、５０％にも及ぶ可能性がある。


【手続補正３】
【補正対象書類名】明細書
【補正対象項目名】０００７
【補正方法】変更
【補正の内容】
【０００７】
本発明の課題は、ダウンリンクにおける伝送のためのシステム負荷を低減する方法を提供することにある。


【手続補正４】
【補正対象書類名】明細書
【補正対象項目名】０００８
【補正方法】変更
【補正の内容】
【０００８】
この課題は請求項１記載の特徴を備えた方法および請求項１１記載の特徴を備えた基地局によって解決される。


【手続補正５】
【補正対象書類名】明細書
【補正対象項目名】０００９
【補正方法】変更
【補正の内容】
【０００９】
この場合、あとに続いてデータの伝送が行われることを表す識別情報が通常のメッセージブロック内で通知され、ついでデータ伝送の行われることがそのつどシグナリングチャネルにおいて識別情報の送信によりそのデータ伝送前に通知されることによって、ログインした加入者局に対しそれに続いて伝送チャネルを介して到来するデータに関して、リソースを節約するかたちでその加入者局のための情報が得られるようになる。その際、最初のステップにおいて、ログインした特定の（加入者）局に対して一義的な識別情報が割り当てられる。このようにすれば以降のデータ伝送の前に、もはや煩雑なヘッダセクションとともに伝送すべきデータを通知する必要がなくなり、シグナリングチャネルを介し識別情報を用いることで事前にシグナリングすれば十分になる。


【手続補正６】
【補正対象書類名】明細書
【補正対象項目名】００１０
【補正方法】変更
【補正の内容】
【００１０】
有利には、共通に用いられるこのようなリソースをログインした複数の局が実際に分け合い、しかもこれはそれらのリソースを（比較的長期にわたり）期限を付けられただけで排他的に利用する代わりに行うことで、ダウンリンクにおける伝送に対するシステム負荷の低減が達成される。比較的長い期間にわたりチャネルを固定的に割り当てる代わりにこのようにすることで、短期間だけ短いブロックがチャネル内で割り当てられる。




【国際調査報告】
2004504784.tif 000028
2004504784.tif 000029
2004504784.tif 000030
2004504784.tif 000031
2004504784.tif 000032